(57)【要約】【課題】  装置操作者に余分な金銭的・時間的な負担を与えることなく、容易に解像度切替を行うことができる光走査装置を提供する。【解決手段】  多ビームのレーザ素子を有する光源と、前記光源を偏光する偏光手段と、回転多面鏡を回転駆動させるスキャナモータと、前記光源と前記偏向手段間の光路に対し出し入れ可能な光学素子と、前記光学素子の出し入れを行うモータ等の駆動装置とを具備し、前記光学素子の出し入れにより第一の解像度と第二の解像度の切替を行う光走査装置において、前記駆動装置の動作時間を、前記スキャナモータの回転数変更時間以下とする。【選択図】  図１
2006018078.tif 000002
【特許請求の範囲】
【請求項１】
多ビームのレーザ素子を有する光源と、
前記光源を偏光する偏光手段と、
回転多面鏡を回転駆動させるスキャナモータと、
前記光源と前記偏向手段間の光路に対し出し入れ可能な光学素子と、
前記光学素子の出し入れを行うモータ等の駆動装置とを具備し、
前記光学素子の出し入れにより第一の解像度と第二の解像度の切替を行う光走査装置において、
前記駆動装置の動作時間を、前記スキャナモータの回転数変更時間以下とすることを特徴とする光走査装置。
【請求項２】
前記光学素子が前記光源及び前記偏向手段間に無い状態を、前記第一の解像度と前記第二の解像度のうちより高解像度の場合とすることを特徴とする請求項１記載の光走査装置。
【発明の詳細な説明】
【技術分野】
【０００１】
本発明は、レーザビームプリンタや複写機等に使用される光走査装置に関するものである。
【背景技術】
【０００２】
従来の光走査装置の概略構成と各部機能の概略について図４を用いて説明する。
従来の光操作装置は、半導体レーザ等の光源１ら発生したレーザ光１５は、コリメータレンズ２によって平行光にされ、その後シリンダレンズ３、球面レンズ４によって、副走査方向のみスキャナモータ５上へ絞り込まれる。このスキャナモータ５によって偏向走査された光は、ｆθレンズ６内にて広がった後、感光体７上へ光を結像させるような構成になっている。
【０００３】
従来の構成においては、一つの光走査装置で複数の解像度を有することはできず、各光走査装置は各解像度に調整され、解像度は固定されたものとなっていた。
【０００４】
ゆえに、解像度が固定されるため各解像度に調整した光走査装置を各々有する必要が生じ、対応する解像度の数が増えると有すべき光走査装置の数が増え、製造・管理する費用が増大する等の問題点があった。
【発明の開示】
【発明が解決しようとする課題】
【０００５】
本発明の目的は、解像度を容易に切り替えられ、必要な印刷品質に応じた光走査装置を提供することである。
【課題を解決するための手段】
【０００６】
上記課題は、多ビームのレーザ素子を有する光源と、前記光源を偏光する偏光手段と、  回転多面鏡を回転駆動させるスキャナモータと、前記光源と前記偏向手段間の光路に対し出し入れ可能な光学素子と、前記光学素子の出し入れを行うモータ等の駆動装置とを具備し、前記光学素子の出し入れにより第一の解像度と第二の解像度の切替を行う光走査装置において、前記駆動装置の動作時間を、前記スキャナモータの回転数変更時間以下とすることで達成される。
【発明の効果】
【０００７】
本発明の光走査装置により、解像度切替に伴う感光体への光走査位置ずれを無くし、必要に応じた解像度と印刷品質を確保することができ、且つ装置操作者に余分な金銭的・時間的な負担や従来以上の待ち時間を与えることなく、容易に解像度切替を行うことができる。
【発明を実施するための最良の形態】
【０００８】
解像度の切替時に出し入れを行う光学素子にビーム位置及びビーム径の調整機構を入れることにより、光走査装置全体の大きさを変えることなく感光体への光走査位置ずれを無くし、目的の印刷品質や解像度に応じたビーム径への調整を可能とする光走査装置を実現した。
【０００９】
また、解像度の切替に要する時間をスキャナモータの回転数切替時間以下にすることで、装置操作者に時間的な負担を掛けることなく実現した。
【実施例１】
【００１０】
以下、図面を参照して本発明を説明する。
図１は本発明の一実施例を示す光走査装置の概略構成図であり、従来例と同様の部位の説明は省略する。従来例との相違は、コリメータレンズ２とシリンダレンズ３の間に解像度切替用の光学素子８を実装可能なように配置したことである。
【００１１】
光走査装置において、より印刷品質が重要となる第一解像度の場合には、解像度切替用光学素子８は位置Ｂに配置され、レーザ光１５は、光学素子８を介さずに、スキャナモータ５へ照射される。ここで、第一解像度の場合には、光源１の取り付け角度を光軸中心に回転させることにより調整する。次に、第二解像度の場合には、光学素子８はレーザ光１５の照射する位置Ａに配置され、光学素子８を光軸中心に回転させることにより調整する。
【００１２】
次に図２の解像度切替用光学素子移動機構図、及び図３に示す本発明の光走査装置を動作させるタイミングチャートの一例を用いて解像度切替時の動作を説明する。図３のタイミングチャートは”１”で信号ありを示す。
【００１３】
スキャナモータ５がαｒｐｍで回転する第一の解像度（ａＤＰＩ）での印刷が終了し、図示しない制御装置からスキャナモータ回転数切替信号を受信後、スキャナモータ５の回転数をｂＤＰＩに相当するβｒｐｍに変更する（図３の（１）の状態）。ここで、光学素子８はレーザ光１５が照射しない位置Ｂにあり、切替センサＡ９は切替用検出部材１２を検出している状態である。次に切替モータ動作信号を”１”にし、ステッピングモータ等の安価なＤＣモータである切替モータ１１を動作させる。切替モータ１１が動作するとモータギヤ１３を介して切替用移動部材１４が動作し、切替用検出部材１２と光学素子８が移動して、切替用検出部材１２がセンサＢ１０に到達した時に、センサＢ１０が”１”となり、切替モータ１１の動作が停止する（図３の（２）の状態）。このとき、光学素子８は位置Ａにあり、レーザ光１５の照射位置に位置する。次に、スキャナモータ５の回転数がβｒｐｍになると、スキャナモータ回転数切替完了信号が”１”となり、第二の解像度であるｂＤＰＩでの印刷動作が可能となり、印刷動作信号を”１”として印刷動作を開始する（図３の（３）の状態）。
【産業上の利用可能性】
【００１４】
複数のレーザを使用した光走査装置を持つ電子写真装置において、解像度切替用の光学素子を持つ、同一の光走査装置にて複数の解像度に対応させることが可能である。
【図面の簡単な説明】
【００１５】
【図１】本発明の光走査装置の概略構成を示す図である。
【図２】本発明の光学素子の移動する機構の一例を示す概略構成図である。
【図３】本発明の光学素子の動作の一例を示すタイムチャートである。
【図４】従来の光走査装置の概略構成を示す図である。
【符号の説明】
【００１６】
１は光源、２はコリメータレンズ、３はシリンダレンズ、４は球面レンズ、５はスキャナモータ、６はｆθレンズ、７は感光体、８は光学素子、９は切替センサ１、１０は切替センサ２、１１は切替モータ、１２は切替用検出部材、１３はモータギヤ、１４は切替用移動部材、１５はレーザ光である。
【図１】
2006018078.tif 000003
【図２】
2006018078.tif 000004
【図３】
2006018078.tif 000005
【図４】
2006018078.tif 000006